【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
管理サーバの管理下において質問器が無線タグを識別する方法であって、
前記質問器が前記管理サーバに登録申請を行うステップと、
前記管理サーバが前記質問器の登録を行うステップと、
前記管理サーバが質問器情報を作成するステップと、
前記管理サーバが前記質問器によるキャリアセンスの開始および終了を制御するステップと、
前記管理サーバが前記質問器による無線信号の発信および停止を制御するステップと、
前記管理サーバが前記質問器にキャリアセンスの結果を前記管理サーバに送信させる命令を含む情報を送信するステップと、
前記質問器が前記キャリアセンスの結果を前記管理サーバに送信するステップと、
前記管理サーバが質問器干渉情報を作成するステップと、
前記質問器が前記管理サーバに無線通信を行う権利を申請するステップと、
前記管理サーバが前記質問器に前記無線通信を行う権利を付与することを保留するステップと、
前記管理サーバが保留情報を作成するステップと、
前記管理サーバが前記無線通信を行う権利を前記質問器に付与するステップと、
前記無線通信を行う権利を付与された前記質問器が前記無線タグと無線通信を行うステップと、
前記質問器が前記無線タグとの無線通信が終了すると前記無線通信を行う権利を前記管理サーバに返還するステップと、
前記質問器が前記管理サーバに登録抹消申請を行うステップと、
前記管理サーバが前記質問器の登録抹消を行うステップとを有することを特徴とする識別方法。
【請求項２】
管理サーバの管理下において質問器が無線タグを識別する方法であって、
前記質問器が前記管理サーバに登録申請を行うステップと、
前記管理サーバが前記質問器の登録を行うステップと、
前記管理サーバが質問器情報を作成するステップと、
前記管理サーバが前記質問器によるキャリアセンスの開始および終了を制御するステップと、
前記管理サーバが前記質問器による無線信号の発信および停止を制御するステップと、
前記管理サーバが前記質問器にキャリアセンスの結果を前記管理サーバに送信させる命令を含む情報を送信するステップと、
前記質問器が前記キャリアセンスの結果を前記管理サーバに送信するステップと、
前記管理サーバが質問器干渉情報を作成するステップと、
前記質問器が前記管理サーバに無線通信を行う権利を申請するステップと、
前記管理サーバが前記無線通信を行う権利を前記質問器に付与するステップと、
前記無線通信を行う権利を付与された前記質問器が前記無線タグと無線通信を行うステップと、
前記質問器が前記無線タグとの無線通信が終了すると前記無線通信を行う権利を前記管理サーバに返還するステップと、
前記質問器が前記管理サーバに登録抹消申請を行うステップと、
前記管理サーバが前記質問器の登録抹消を行うステップとを有することを特徴とする識別方法。
【請求項３】
管理サーバの管理下において質問器が無線タグを識別する方法であって、
前記質問器が前記管理サーバに無線通信を行う権利を申請するステップと、
前記管理サーバが前記質問器に無線通信を行う権利を付与することを保留するステップと、
前記管理サーバが保留情報を作成するステップと、
前記管理サーバが前記無線通信を行う権利を前記質問器に付与するステップと、
前記無線通信を行う権利を付与された前記質問器が前記無線タグと無線通信を行うステップと、
前記質問器が前記無線タグとの無線通信が終了すると前記無線通信を行う権利を前記管理サーバに返還するステップと、
前記質問器が前記管理サーバに登録抹消申請を行うステップと、
前記管理サーバが前記質問器の登録抹消を行うステップとを有することを特徴とする識別方法。
【請求項４】
管理サーバの管理下において質問器が無線タグを識別する方法であって、
前記質問器が前記管理サーバに無線通信を行う権利を申請するステップと、
前記管理サーバが前記無線通信を行う権利を前記質問器に付与するステップと、
前記無線通信を行う権利を付与された前記質問器が前記無線タグと無線通信を行うステップと、
前記質問器が前記無線タグとの無線通信が終了すると前記無線通信を行う権利を前記管理サーバに返還するステップと、
前記質問器が前記管理サーバに登録抹消申請を行うステップと、
前記管理サーバが前記質問器の登録抹消を行うステップとを有することを特徴とする識別方法。
【請求項５】
管理サーバの管理下において質問器が無線タグを識別する方法であって、
前記質問器が前記管理サーバに登録申請を行うステップと、
前記管理サーバが前記質問器の登録を行うステップと、
前記管理サーバが質問器情報を作成するステップと、
前記管理サーバが前記質問器によるキャリアセンスの開始および終了を制御するステップと、
前記管理サーバが前記質問器による無線信号の発信および停止を制御するステップと、
前記管理サーバが前記質問器にキャリアセンスの結果を前記管理サーバに送信させる命令を含む情報を送信するステップと、
前記質問器が前記キャリアセンスの結果を前記管理サーバに送信するステップと、
前記管理サーバが質問器干渉情報を作成するステップとを有することを特徴とする識別方法。
【請求項６】
無線タグとの間で無線通信を行う質問器と、前記質問器を管理する管理サーバとを有し、
前記質問器は、
前記管理サーバに登録申請を行う手段と、
キャリアセンスを行う手段と、
前記キャリアセンスの結果を前記管理サーバに送信する手段と、
前記管理サーバに無線通信を行う権利を申請する手段と、
無線通信を行う権利を取得することにより無線通信を開始する手段と、
無線通信を終了すると前記管理サーバに無線通信を行う権利を返還する手段と、
前記管理サーバに登録抹消申請を行う手段とを有し、
前記管理サーバは、コンピュータに読み取り可能な記録媒体を有し、
前記記録媒体は、
前記管理サーバが、
前記質問器の登録を行う手段として機能し、
質問器情報を作成する手段として機能し、
前記質問器に無線信号を発信および停止させる手段として機能し、
前記質問器にキャリアセンスを開始および終了させる手段として機能し、
前記質問器にキャリアセンスの結果を送信させる手段として機能し、
質問器干渉情報を作成する手段として機能し、
前記質問器に無線通信を行う権利を付与する手段として機能し、
前記質問器に無線通信を行う権利を付与することを保留する手段として機能し、
保留情報を作成する手段として機能し、
前記質問器の登録抹消を行う手段として機能するプログラムが記録されていることを特徴とする識別システム。
【請求項７】
無線タグとの間で無線通信を行う質問器と、前記質問器を管理する管理サーバとを有し、
前記質問器は、
前記管理サーバに登録申請を行う手段と、
キャリアセンスを行う手段と、
前記キャリアセンスの結果を前記管理サーバに送信する手段と、
前記管理サーバに無線通信を行う権利を申請する手段と、
無線通信を行う権利を取得することにより無線通信を開始する手段と、
無線通信を終了すると前記管理サーバに無線通信を行う権利を返還する手段と、
前記管理サーバに登録抹消申請を行う手段とを有し、
前記管理サーバは、
前記質問器の登録を行う手段と、
質問器情報を作成する手段と、
前記質問器に無線信号を発信および停止させる手段と、
前記質問器にキャリアセンスを開始および終了させる手段と、
前記質問器にキャリアセンスの結果を送信させる手段と、
質問器干渉情報を作成する手段と、
前記質問器に無線通信を行う権利を付与する手段と、
前記質問器に無線通信を行う権利を付与することを保留する手段と、
保留情報を作成する手段と、
前記質問器の登録抹消を行う手段と、
を有することを特徴とする識別システム。